(57)【要約】【課題】捩れや変形が生じにくく、ボトル型商品と略酷似する形態を維持することができると共に、表示ラベルの交換作業が簡単且つ容易に行えるボトル型展示用ダミーを提供する。【解決手段】ボトル型展示用ダミー１を構成する下部ダミー８の支持筒８ａ及び上部ダミー９の支持筒９ａを上下方向にスライドして、自動販売機１により販売されるボトル型商品と略対応する長さに伸縮する。上部ダミー９に形成した凸部２１を、下部ダミー８に形成した何れか一つの凹部２０に係止して、特定サイズのボトル型商品と略対応する長さに伸縮調節する。表示ラベル１０を、下部ダミー８及び上部ダミー９の支持筒８ａ，９ａ外周面に巻き付け、表示ラベル１０の係止片１０ａ，１０ａを、支持筒８ａの係止孔８ｃ，８ｃに係止して、ボトル型商品と略対応する曲率半径に湾曲した状態に巻き付け固定する。【選択図】  図１
2004164177.tif 000002
【特許請求の範囲】
【請求項１】
ボトル型商品と略酷似する表示ラベルを、該ボトル型商品と略対応する曲率半径に湾曲した状態に保持するボトル型展示用ダミーであって、
上記ボトル型展示用ダミーを、上記表示ラベルが巻き付けられる上部ダミー及び下部ダミーに分割すると共に、
上記上部ダミーの下面側周縁部に形成した略筒状の支持筒と、上記下部ダミーの上面側周縁部に形成した略筒状の支持筒とを上下動可能に嵌合し、
上記上部ダミー及び下部ダミーをボトル型商品と略対応する伸縮サイズに規制する規制手段を、上記各支持筒の対向面に設けた
ボトル型展示用ダミー。
【請求項２】
上記上部ダミー及び下部ダミーを、上記ボトル型商品と略酷似する断面形状に形成した
請求項１記載のボトル型展示用ダミー。
【請求項３】
上記上部ダミー及び下部ダミーに巻き付けられた表示ラベルの両端部を係止する係止手段を、上記表示ラベルの端部及び支持筒の外周面との対向部分に設けた
請求項１記載のボトル型展示用ダミー。
【請求項４】
上記規制手段を、互いに係止される凹部及び凸部で構成した
請求項１記載のボトル型展示用ダミー。
【請求項５】
上記凹部及び凸部を、上記支持筒の外周面に沿って上下方向に対して所定間隔に隔てて複数設けた
請求項４記載のボトル型展示用ダミー。
【発明の詳細な説明】
【０００１】
【発明の属する技術分野】
この発明は、例えば飲み物が封入された金属製やガラス製、合成樹脂製のボトル型容器及び合成樹脂製のペットボトル）等のボトル型商品を販売する自動販売機に於いて、そのボトル型商品の選択及び宣伝を目的とするために陳列されるボトル型展示用ダミーに関する。
【０００２】
【従来の技術】
従来、上述のボトル型展示用ダミーとしては、例えば底体端部から上方に向けて下背板が形成された第１ダミー体と、上蓋体端部から下方に向けて上背板が形成された第２ダミー体とで構成され、下背板及び上背板を上下摺動可能に当接又は近接すると共に、何れか一方の背板内側に設けた柱を、他方の背板内側に設けた中空の柱に対して上下摺動可能に内嵌した特許文献１の高さ調節可能なダミー体がある。
【０００３】
【特許文献１】
実用新案登録第３０８６７２０号公報。
【０００４】
【発明が解決しようとする課題】
しかし、上述の第１ダミー体及び第２ダミー体を、底体及び上蓋体の後端側に設けた柱により部分的に支持しているので、水平方向及び円周方向に対する応力に弱く、所望する長さに伸縮したとき、第１ダミー体及び第２ダミー体の軸中心に捩れや変形等が生じることがあり、自動販売機により販売されるボトル型商品と略酷似する形態を維持することが困難である。且つ、表示ラベルを、第１ダミー体及び第２ダミー体の前面側開口部に装着するので、表示ラベルの表示面が撓んだり、歪んだりしやすく、宣伝効果及び商品価値が損なわれるという問題点を有している。
【０００５】
この発明は上記問題に鑑み、下部ダミー及び上部ダミーの各支持筒を上下方向にスライドして、様々なサイズを有するボトル型商品と略対応する長さに伸縮調節することにより、捩れや変形が生じにくく、ボトル型商品と略酷似する形態を維持することができ、表示ラベルの交換作業が簡単且つ容易に行えるボトル型展示用ダミーの提供を目的とする。
【０００６】
【課題を解決するための手段】
この発明は、ボトル型商品と略酷似する表示ラベルを、該ボトル型商品と略対応する曲率半径に湾曲した状態に保持するボトル型展示用ダミーであって、上記ボトル型展示用ダミーを、上記表示ラベルが巻き付けられる上部ダミー及び下部ダミーに分割すると共に、上記上部ダミーの下面側に形成した略筒状の支持筒と、上記下部ダミーの上面側に形成した略筒状の支持筒とを上下動可能に嵌合し、上記上部ダミー及び下部ダミーをボトル型商品と略対応する伸縮サイズに規制する規制手段を、上記各支持筒の対向面に設けたボトル型展示用ダミーであることを特徴とする。
【０００７】
上述のボトル型商品は、例えば飲み物が封入された金属製やガラス製、合成樹脂製のボトル型容器、合成樹脂製のペットボトル等の平面から見て略丸形状及び略多角形状の商品で構成することができる。また、規制手段は、例えば略ディンプル状や略半球形状、略円弧形状、略流線形状、略楕円形状の凹凸で構成するか、或いは、ネジ部材で締付け固定したり、バネ部材の弾性で押付け固定したり、ゴム部材の接触抵抗で固定したり、マグネットの吸着力で吸着固定したり、凹凸状の歯面を係止する等の手段で構成することができる。
【０００８】
つまり、ボトル型展示用ダミーを構成する下部ダミー及び上部ダミーの各支持筒を上下方向にスライドして、例えば自動販売機により販売されるボトル型商品と略対応する長さに伸縮すると共に、上部ダミー及び下部ダミーを、各支持筒の対向面に設けた規制手段により特定サイズのボトル型商品と略対応する伸縮サイズに規制及び固定する。且つ、表示ラベルを、下部ダミー及び上部ダミーの外周面（支持筒の外周面）に巻き付けて、ボトル型商品と略対応する曲率半径に湾曲した状態に保持する。
【０００９】
実施の形態として、上記上部ダミー及び下部ダミーを、上記ボトル型商品と略酷似する断面形状（例えば平面から見て略丸形状及び略多角形状、略四角形状等）に形成することができる。また、上記上部ダミー及び下部ダミーに巻き付けられた表示ラベルの両端部を係止する係止手段（例えば表示ラベルの係止片及び支持筒の係止孔、表示ラベルの端部が差込み固定されるスリットや溝部、挟持部等）を、上記表示ラベルの端部及び支持筒の外周面との対向部分に設けることができる。また、上記規制手段を、互いに係止される凹部及び凸部（例えば略ディンプル状の凹凸や略半球形状、略円弧形状、略流線形状、略楕円形状等）で構成することができる。また、上記凹部及び凸部を、上記支持筒の外周面に沿って上下方向に対して所定間隔に隔てて複数設けることができる。
【００１０】
【作用及び効果】
この発明によれば、ボトル型展示用ダミーを構成する下部ダミー及び上部ダミーの各支持筒を上下方向にスライドして、様々なサイズを有するボトル型商品と略対応する長さに伸縮調節するので、捩れや変形が生じにくく、ボトル型商品と略酷似する形態を維持することができる。且つ、表示ラベルを、下部ダミー及び上部ダミーの外周面に巻き付けるので、表示ラベルの表示面が撓んだり、歪んだりせず、所望する宣伝効果及び商品価値が安定して得られ、表示ラベルのサイズ及び表示内容を変更する作業が無理せずに簡単且つ容易に行える。
【００１１】
【実施例】
この発明の一実施例を以下図面に基づいて詳述する。
図面は、自動販売機により販売される様々なサイズのボトル型商品に略対応して、表示ラベルのサイズ及び表示内容を変更するときに用いられるボトル型展示用ダミーを示し、図１０に於いて、このボトル型展示用ダミー７は、自動販売機１の上部前面に設けた展示部２内に複数陳列され、販売される様々なサイズを有するボトル型商品（例えば飲み物が封入されたペットボトル）と略酷似する外観及び意匠に形成している。また、ボトル型展示用ダミー７を、例えば机や棚、陳列ケース等の展示部に単独で陳列することもできる。
【００１２】
且つ、図５にも示すように、ボトル型展示用ダミー７が起立状態に差込み固定される平面から見て略丸形状の開口部４を、展示部２の展示面３に対して面方向に所定間隔に隔てて複数形成し、ボトル型展示用ダミー７内部に向けて投光する光源５（例えば蛍光灯や白熱灯、照光ランプ、発光素子等の照明機器）を、その開口部４…と対向して展示面３下部に配設している。且つ、光源５は、ボトル型展示用ダミー７を立体的に発光し、後述する表示ラベル１０に印刷した意匠（例えば商標や文字、模様、図柄等）を明瞭に表示するのに必要な光量を投光する。
【００１３】
上述のボトル型展示用ダミー７は、図１、図２、図３にも示すように、平面から見て略筒状の支持筒８ａを、底部８ｂの上面側周縁部から上方に向けて一体的に形成した下部ダミー８と、その支持筒８ａと略酷似する平面から見て略筒状の支持筒９ａを、細口（小径口）及び太口（大径口）を有する口部９ｂの下面側周縁部から下方に向けて一体的に形成した上部ダミー９（図４参照）と、ボトル型展示用ダミー７の外周面に対してボトル型商品と略対応する曲率半径に湾曲した状態に装着されるフィルム状又はシート状の表示ラベル１０とで構成される。
【００１４】
且つ、ボトル型商品の底部側と略対応する外観形状に形成した下部ダミー８及び支持筒８ａと、口部側と略対応する外観形状に形成した上部ダミー９及び支持筒９ａとを、略合致する断面形状に形成すると共に、ボトル型商品と略酷似する断面形状（例えば平面から見て略丸形状）に形成している。
【００１５】
且つ、上部ダミー９の支持筒９ａを、下部ダミー８の支持筒８ａ内部に対して上下動可能に挿入許容される外径及び形状に形成し、表示ラベル１０の両端部に形成した係止片１０ａが係止される係止孔８ｃを、支持筒８ａの両側部外周面に形成している。
【００１６】
且つ、係止孔８ｃに対する係止片１０ａの差込み許容され、その係止孔８ｃに差込まれた係止片１０ａに対して当接及び接触が回避される平面から見て略凹状の当接回避部９ｃを、支持筒８ａの係止孔８ｃ，８ｃと対向して支持筒９ａの両側部外周面に沿って上下方向及び縦方向に連続して形成している。
【００１７】
且つ、表示ラベル１０の上下縁部が係止される段部８ｅ，９ｅを、支持筒８ａの下端側外周縁部及び支持筒９ａの上端側外周縁部に形成して、これら段部８ｅ，９ｅに係止される表示ラベル１０の上下縁部を、ボトル型商品と略対応する曲率半径に湾曲した状態に矯正及び保持する。また、段部８ｅ，９ｅに代えて、例えば表示ラベル１０の上下縁部を溝部に係止してもよい。
【００１８】
且つ、側面から見て滑らかな曲面を有する略ディンプル状の凹部２０と、その凹部２０に対して係止される側面から見て滑らかな曲面を有する略ディンプル状の凸部２１とを、支持筒８ａ，９ａの後側外周面に形成した垂直壁部８ｄ，９ｄの対向面に設けると共に、凹部２１を、自動販売機１により販売される様々なサイズを有するボトル型商品と略対応する上下間隔に隔てて複数形成している。
【００１９】
なお、凹部２０を、支持筒８ａの壁部８ｄに形成し、凸部２１を、支持筒９ａの壁部９ｄに形成してもよい。また、凹部２０及び凸部２１を、例えば略半球形状や略円弧形状、略流線形状、略楕円形状等の側面から見て滑らかな曲面形状に形成してもよい。
【００２０】
且つ、下部ダミー８及び上部ダミー９、表示ラベル１０を、透光性を有するプラスチック（又はガラスやセラミックス等）で透明及び半透明に形成すると共に、下部ダミー８及び上部ダミー９をブロー成形法で成形している。且つ、下部ダミー８及び上部ダミー９の伸縮サイズを、例えば略２５０ｍｌ以下及び略５００ｍｌ以上の内容量を有するボトル型商品と略対応する伸縮サイズに変更してもよい。
【００２１】
また、上述の凹部２０及び凸部２１に代わりに、例えばネジ部材で締付け固定したり、バネ部材の弾性で押付け固定したり、ゴム部材の接触抵抗で固定したり、マグネットの吸着力で吸着固定したり、凹凸状の歯面を係止する等の規制手段で規制してもよい。
【００２２】
前述の表示ラベル１０は、自動販売機１により販売される様々なサイズを有するボトル型商品と略対応する曲率半径に湾曲可能な材質又は厚みに形成され、そのボトル型商品と略同一及び略酷似する表示内容（例えば模様や文字、色彩、写真等）を表示面に印刷又は形成して、例えば略２５０ｍｌ〜略５００ｍｌ等の範囲に含まれる内容量のボトル型商品と略対応する複数サイズの表示ラベル１０…の中から何れか一つを選択して使用する。且つ、下部ダミー８の支持筒８ａに形成した係止孔８ｃに対して係止される係止片１０ａを両端部に形成している。
【００２３】
また、支持筒８ａの係止孔８ｃに代えて、例えば表示ラベル１０の両端部を、支持筒８ａ外周面に形成したスリットや溝部、挟持部等の固定手段により湾曲状態に巻き付け固定するか、或いは、支持筒８ａ側の突起を、表示ラベル１０側の孔部に係止することもできる。
【００２４】
一方、図５にも示すように、光源５からの光が導光許容される採光窓２５を、前述の開口部４と対向して下部ダミー８の底部８ｂ中央部に形成すると共に、開口部４よりも小径で、ボトル型展示用ダミー７内部に対して光源５から投光される光が導光される大きさ及び形状に形成している。
【００２５】
且つ、採光窓２５の下面側周縁部に、開口部４の裏面側周縁部よりも下方に所定長さ突出される筒状部２６を、展示部２の開口部４に対して略垂直に差込み可能に形成し、筒状部２６の対向周縁部に、開口部４の裏面側周縁部に対して係止される支持部２７を、開口部４の対向周縁部に形成した切欠き部４ａに対して差込み可能に形成している。
【００２６】
且つ、支持部２７の上位側に、開口部４の内周縁部に対して圧接される凸状の突起２８を形成している。突起２８は、開口部４の内周縁部に圧接したときに生じる接触抵抗により、ボトル型展示用ダミー７を、表示ラベル１０側が前向きとなる起立状態に回り止めする。また、突起２８を、開口部４の周縁部に形成した凹部や溝部に係止するか、その内周縁部に食い込ませる等して所望角度又は段階的に回り止めしてもよい。
【００２７】
図示実施例は上記の如く構成するものにして、以下、ボトル型展示用ダミー７を、自動販売機１により販売されるボトル型商品と略対応する長さに伸縮調節する方法を説明する。
【００２８】
先ず、図１、図２、図３に示すように、ボトル型展示用ダミー７を構成する下部ダミー８及び上部ダミー９を、自動販売機１により販売されるボトル型商品と略対応する長さに伸縮すると共に、上部ダミー９に形成した凸部２１を、下部ダミー８に形成した何れか一つの凹部２０に係止して、下部ダミー８及び上部ダミー９を、例えば略２５０ｍｌ〜略５００ｍｌ等の範囲に含まれる特定サイズのボトル型商品と略対応する伸縮サイズ（長さ及び高さ）に伸縮調節する。
【００２９】
例えば、大サイズ（大容量）のボトル型商品と略対応する長尺サイズに調節する場合、凸部２１を上位側の凹部２０に係止する。また、小大サイズ（小容量）のボトル型商品と略対応する短尺サイズに調節する場合、凸部２１を下位側の凹部２０に係止する。つまり、ボトル型展示用ダミー７のサイズを、凹部２０の間隔及び個数に応じて段階的に伸縮調節する。
【００３０】
且つ、支持筒８ａ，９ａの壁部８ｄ，９ｄを面待遇で当接して、下部ダミー８及び上部ダミー９を、凹部２０及び凸部２１が互いに係止される向き及び角度に回動規制する。或いは、凹部２０及び凸部２１を１箇所形成して、特定サイズのボトル型商品と対応する伸縮サイズに規制することもできる。
【００３１】
次に、表示ラベル１０を、ボトル型商品と略対応する長さに伸縮調節されたボトル型展示用ダミー７の外周面、つまり、下部ダミー８の支持筒８ａ外周面に巻き付けると共に、表示ラベル１０の係止片１０ａ，１０ａを、支持筒８ａの係止孔８ｃ，８ｃに係止して、ボトル型商品と略対応する曲率半径に湾曲した状態に巻き付け固定する。また、図４に示すように、上部ダミー９を、口部９ｂが細口（小径口）及び太口（大径口）のサイズに交換することもできる。
【００３２】
上述のように伸縮調節されたボトル型展示用ダミー７を、例えば自動販売機１を管理する会社や展示用ダミーを取り扱う会社、業者等に納品又は出荷した後、表示ラベル１０が装着済み又は未装着のボトル型展示用ダミー７を、図５及び図１０に示すように、自動販売機１を構成する展示部２の展示面３に形成した開口部４に対して起立状態に差込み固定して複数陳列する。また、伸縮調節前のボトル型展示用ダミー７を納品又は出荷してもよい。
【００３３】
以上のように、ボトル型展示用ダミー１を構成する下部ダミー８の支持筒８ａ及び上部ダミー９の支持筒９ａを上下方向にスライドして、自動販売機１により販売される様々なサイズを有するボトル型商品と略対応する長さに伸縮調節するので、従来文献のダミー体よりも構造的強度に優れ、捩れや変形が生じにくく、ボトル型商品と略酷似する形態を維持することができる。且つ、表示ラベル１０を、下部ダミー８及び上部ダミー９の支持筒８ａ，９ａ外周面に対して巻き付けるので、表示ラベル１０の表示面が撓んだり、歪んだりせず、所望する宣伝効果及び商品価値が安定して得られ、表示ラベル１０のサイズ及び表示内容を変更する作業が無理せずに簡単且つ容易に行える。
【００３４】
且つ、表示ラベル１０を、ボトル型商品と略対応するサイズの表示ラベル１０に交換するだけであるので、下部ダミー８及び上部ダミー９、成形用金型を共通して使用することができ、ボトル型商品の種類及びサイズに対応した表示ラベル１０を製作するだけで済み、一つのボトル型展示用ダミー７に要する製作費及び金型費の低減を図ることができる。
【００３５】
図６、図７は、下部ダミー８の支持筒８ａを、上部ダミー９の支持筒９ａ内部に対して上下動可能に挿入したボトル型展示用ダミー７の他の伸縮構造を示し、上部ダミー９の支持筒９ａ両側面に形成した凸部２１を、下部ダミー８の支持筒８ａ両側面に形成した上下何れか一つの凹部２０に係止して、下部ダミー８及び上部ダミー９を、自動販売機１により販売されるボトル型商品と略対応する伸縮サイズに伸縮調節する。且つ、支持筒８ａの突条８ｇ及び支持筒９ａの溝条９ｇを上下動可能に係止して、凹部２０及び凸部２１が互いに係止される向き及び角度に回動規制する。
【００３６】
且つ、表示ラベル１０を、上部ダミー９の支持筒９ａ外周面に巻き付けると共に、係止片１０ａ，１０ａを、支持筒９ａの係止孔９ｆ，９ｆに係止して、ボトル型商品と略対応する曲率半径に湾曲した状態に巻き付け固定する。且つ、係止孔９ｆに差込まれた係止片１０ａを、支持筒８ａの両側部外周面に形成した当接回避部８ｆにより当接及び接触が回避するので、上述の実施例と略同等の作用及び効果を奏することができる。
【００３７】
図８は、ボトル型展示用ダミー７の他の固定構造を示し、ボトル型展示用ダミー７を前後に傾けて、採光窓２５の下面側後縁部に形成した係止爪３０を、展示部２の展示面３に形成した開口部４の後側内周縁部に係止し、下面側前縁部に形成した係止爪３１を、開口部４の前側内周縁部に係止する。係止爪３１の両側部に形成した略円弧状の突起３２を、開口部４の内周縁部に係止し、両側縁部に形成した凸部３３を、開口部４の両側縁部に形成した切欠き部４ａに係止して回り止めするので、前述の実施例と略同様に、ボトル型展示用ダミー７を着脱可能に固定することができる。
【００３８】
図９は、ボトル型展示用ダミー７のその他の固定構造を示し、下部ダミー８の底部８ｂに形成した筒状部３５を、展示面３に形成した開口部４に差込み、筒状部３５の対向縁部に形成した係止部３６を、開口部４の対向縁部に形成した切欠き部４ａに挿入し、その係止部３６近傍に形成した支持片３７を、開口部４の内周縁部に当接して筒状部３５中心に向けて変位又は可撓する。ボトル型展示用ダミー７を水平回動して、係止部３６を切欠き部４ａの一端に係止し、支持片３７をその復元力により切欠き部４ａの他端に係止して回り止めするので、前述の実施例と略同様に、ボトル型展示用ダミー７を着脱可能に固定することができる。
【００３９】
且つ、ボトル型展示用ダミー７のその他の固定方法として、例えば筒状部２６を開口部４に対して嵌め込むか、マグネットや面ファスナー、両面粘着テープ、ネジ、ボルト等の固定手段で固定することもできる。
【図面の簡単な説明】
【図１】ボトル型展示用ダミーの伸縮構造を示す斜視図。
【図２】下部ダミー及び上部ダミーの伸縮構造を示す縦断側面図。
【図３】下部ダミー及び上部ダミーの嵌合状態を示す横断平面図。
【図４】上部ダミーを細口及び太口に交換する方法を示す斜視図。
【図５】ボトル型展示用ダミーの固定構造を示す底面側斜視図。
【図６】ボトル型展示用ダミーの他の伸縮構造を示す斜視図。
【図７】下部ダミー及び上部ダミーの嵌合状態を示す横断平面図。
【図８】ボトル型展示用ダミーの他の固定構造を示す底面側斜視図。
【図９】ボトル型展示用ダミーのその他の固定構造を示す底面側斜視図。
【図１０】ボトル型展示用ダミーを陳列した自動販売機を示す正面図。
【符号の説明】
１…自動販売機
２…展示部
３…展示面
４…開口部
７…ボトル型展示用ダミー
８…下部ダミー
９…上部ダミー
８ａ，９ａ…支持筒
８ｃ，９ｆ…係止孔
１０…表示ラベル
１０ａ…係止片
２０…凹部
２１…凸部
【図１】
2004164177.tif 000003
【図２】
2004164177.tif 000004
【図３】
2004164177.tif 000005
【図４】
2004164177.tif 000006
【図５】
2004164177.tif 000007
【図６】
2004164177.tif 000008
【図７】
2004164177.tif 000009
【図８】
2004164177.tif 000010
【図９】
2004164177.tif 000011
【図１０】
2004164177.tif 000012